(57)【要約】【課題】簡単な構造で、総ころ軸受に比べてころの本数の減少を押え、通常の保持器付き軸受に比べて負荷容量を増加させると共に、総ころ軸受にないころの脱落防止機能ところ保持機能とを備えたころ軸受を提供する。【解決手段】基部６と基部６の一方の側にこれと直交して長手方向に所定の間隔で設けられた多数の櫛刃７とからなる長尺の櫛形保持器５を有し、この櫛形保持器５を外輪１内に収容された多数のころ３の内接円径の円周方向の長さより若干長く切断して多数のころ３の内側に挿入し、櫛刃７を隣接するころ３の間に挿脱可能に挿入する。【選択図】図１
2007218303.tif 000002
【特許請求の範囲】
【請求項１】
基部と、該基部の一方の側にこれと直交して長手方向に所定の間隔で設けられた多数の櫛刃とからなる長尺の櫛形保持部を有し、
該櫛形保持部を外輪内に収容された多数のころの内接円径の円周方向の長さより若干長く切断して前記多数のころの内側に挿入し、前記櫛刃を前記隣接するころの間に挿脱可能に挿入したことを特徴とするころ軸受。
【請求項２】
前記櫛形保持部を、弾性を有する金属板をプレス加工により形成したことを特徴とする請求項１記載のころ軸受。
【請求項３】
前記櫛形保持部の櫛刃の間隔を、ころの直径より若干狭く形成したことを特徴とする請求項１又は２記載のころ軸受。
【請求項４】
前記櫛形保持部の櫛刃の長さを、ころの長さのほぼ２分の１程度としたことを特徴とする請求項１〜３のいずれかに記載のころ軸受。
【請求項５】
前記櫛形保持部の櫛刃の幅を、外輪内に収容されたころの内接円径より内側に挿入してころと接触しうるように形成したことを特徴とする請求項１〜４のいずれかに記載のころ軸受。
【請求項６】
前記櫛形保持部の櫛刃を、断面ほぼ半円状に形成したことを特徴とする請求項１〜５のいずれかに記載のころ軸受。
【請求項７】
前記櫛形保持部の基部につまみを設けたことを特徴とする請求項１〜６のいずれかに記載のころ軸受。
【発明の詳細な説明】
【技術分野】
【０００１】
本発明はころ軸受に係り、より詳しくは、総ころ軸受に比べてころ本数の減少を抑え、通常の保持器付き軸受にくらべて負荷容量を増加させるとともに、総ころ軸受にないころの脱落防止機能ところ保持機能を兼ね備えた保持器付きのころ軸受に関するものである。
【背景技術】
【０００２】
総ころ軸受は保持器を備えていないため、限られた軸受寸法内にころを最大限収容することにより大きな負荷容量を得ることができるが、他方ころの脱落防止機能を備えていないため、特に軸受の組込み時など取扱い時にころが脱落するという問題がある。
このため、軸受のころ内径面にころ脱落防止具を取り付けたり（例えば、特許文献１参照）、軸受内に固体潤滑剤を充填してころの保持をおこなう構造（例えば特許文献２参照）が提案されている。
【０００３】
【特許文献１】実用新案登録第２５２３１８４号公報（第２−３頁、図１−３）
【特許文献２】実開平６−４９８２５号公報（第５−６頁、図１−２）
【発明の開示】
【発明が解決しようとする課題】
【０００４】
しかしながら、特許文献１の脱落防止具は、これを挿入する軸受の内径寸法ごとに専用となり、他の内径寸法の異なる軸受との兼用はできないものであり、またその機能よりころ脱落防止のみに限られたものである。
特許文献２の固体潤滑剤を使用した構造のものは、軸受の潤滑条件が限られた用途での使用となり、例えば油潤滑の条件によっては、固体潤滑剤の充填量を極めて少なくするとか（この場合、ころの脱落が発生するおそれがある）、軸受の組付け前に固体潤滑剤を除去するとかの課題がある。
【０００５】
本発明は、上記の課題を解決するためになされたもので、簡単な構造で、総ころ軸受に比べてころ本数の減少を抑え、通常の保持器付き軸受にくらべて負荷容量を増加させるとともに、総ころ軸受にないころの脱落防止機能ところ保持機能を兼ね備えた保持器付きのころ軸受を提供することを目的としたものである。
【課題を解決するための手段】
【０００６】
本発明に係るころ軸受は、基部と該基部の一方の側にこれと直交して長手方向に所定の間隔で設けられた多数の櫛刃とからなる長尺の櫛形保持器を有し、該櫛形保持器を外輪内に収容された多数のころの内接円径の長さより若干長く切断して前記多数のころの内側に挿入し、前記櫛刃を前記隣接するころの間に挿脱可能に挿入したものである。
【０００７】
上記の櫛形保持器は、帯状の薄鋼板を、ころ径寸法より若干狭く設定した間隔で軸方向の一方に開口した櫛刃と、軸方向の他方でこれら櫛刃を連結する基部とからなる構成と、かつ所要の軸受内接円径にあわせ帯状の金属板の周方向長さで切断した構成にプレス成形されたものであり、しかるのちに前記切断した周方向の両端部を合わせるように曲げ丸めた構造とした後、その櫛刃の開口部（反基部側）の方向より予め外輪内にほぼ総ころ軸受と同様数に収容されたころの内径面に挿入してころ軸受としたものである。
【０００８】
上記の櫛形保持器において、櫛刃は隣り合うころの間に位置し、ころの内径方向の脱落を防止する効果を得ることができるとともに、必要に応じてころを総ころ軸受より１ないし２本減少させたころ軸受において、保持器として隣あうころどうしの干渉やころのスキューを防止するなどの機能を兼ね備えることもできる。
【０００９】
櫛刃の軸方向の長さは使用するころの長さのほぼ２分の１程度あれば、ころの脱落防止や保持器としての機能を満足することができるので、他の軸受との櫛形保持器の兼用を考慮しながら適宜設定することができる。
【００１０】
また、軸受の内接円径が異なる場合でもころ径がほぼ同じ構成のものであれば、帯状の金属板からなる櫛形保持器としての周方向長さの切断時に、この内接円径に相当する長さの部分で切断するだけでよいので、軸受の内接円径寸法が変わってころ数が増減しても、ころ径がほぼ同一であれば同一工程での櫛形保持器の成形を行うことができるためコスト的にも有利である。
【００１１】
上記の櫛形保持器は、帯状の金属板を周方向に曲げ丸めた構造であり、ころを丸めた後に外径方向に弾性的に拡径させ保持具として使用することができる。
【００１２】
上記の櫛形保持器は径方向に縮めたり拡径したりせず、単体としての径寸法のまま予め外輪内に収容されたころの間に開口部側の櫛刃を軸方向から挿入して保持器付きのころ軸受とすることができる。
また、ころを外輪に組付け後に軸方向からの櫛形保持器の装着ができ、かつ櫛形保持器は径方向に弾性的に変形することが可能なため、軸受に要求される最大限のころの組付けが可能である。
また、櫛形保持器の挿入は軸方向から行うことができるため、組付け工程において予め接着程度に薄く固体潤滑剤を塗布しころを収容した軸受を幅方向に上下させた状態で置き、櫛形保持器の装着を連続して行うことができるため工程上も有利である。
【発明の効果】
【００１３】
本発明によれば、簡単な構造の櫛形保持器付きのころ軸受において、ころの収容数をほとんど減少することなくころの脱落を防止することができ、その上各種サイズのころ軸受けに共通して使用することができるので、コストを低減することができる。
【発明を実施するための最良の形態】
【００１４】
図１は本発明の一実施の形態に係るころ軸受の一部を省略した縦断面図、図２は図１のＡ−Ａ断面図、図３は図１の外観斜視図、図４は図３の正面図である。
軸方向の前後の半径方向に鍔部２ａ，２ｂを有する外輪１内には、外輪１の内周面に沿って多数のころ３が密に配設されている。５はころ３の脱落を防止するための櫛形保持器であり、図５に示すように、例えば帯状鋼板の如き弾性を有する長尺の金属板をプレス加工により成形したもので、基部６と、この基部６と直交して長手方向の一方の側に所定の間隔Ｓで設けられた複数の櫛刃７とからなっている。
【００１５】
この櫛刃７の長さＬは、図１ではころ３の長さのほぼ２分の１となっているが、これに限定するものではなく、例えばころ３の長さとほぼ等しくするなど適宜の長さとすることができる。また、櫛刃７の間隔Ｓは、ころ３の直径Ｄ（図６参照）より若干狭く、Ｓ＜Ｄに形成されている。また、櫛刃７の幅Ｗは、図６に示すように、隣接するころ３の間において、ころ３の内接円径ＩＣより内側のころ３と接触しうる位置に挿入しうる幅、換言すれば、隣接するころ３の中心部側の空間部３ａおいてころ３と接触しうる位置に挿入しうる幅となっている。
【００１６】
次に、上記のように構成した櫛形保持器５のころ軸受への装着手順の一例について説明する。
先ず、長尺の櫛形保持器５を、ころ軸受のころ３の内接円径の円周方向の長さより若干長く切断する。次に、外輪１の一方の鍔部（例えば、２ａ）の間からころ３の内接円径ＩＣ内に、ほぼ円形にかつ内接円径ＩＣより小さく弾性変形させた櫛形保持器５を挿入し、ついで元の状態に戻す。
【００１７】
これにより、櫛刃７は図６に示すように、ころ３の内周円径ＩＣ側においてころ３の間（空間部３ａ）に挿入されてころ３に接触し、ころ３は櫛形保持器５の弾性により外輪１の内周面に当接して保持される。この場合、櫛形保持器５の基部６は、図１に示すように、外輪１の鍔部２ａの外壁面とほぼ同一面又はこれより内径側に位置するように設定する。なお、櫛形保持器５は径方向に変形せずに、単体としての径寸法のまま、あらかじめ外輪１内に収容されたころ３どうしの間に、開口部側の櫛刃７を軸受の軸方向から挿入し、組付けることもできる。
【００１８】
このようにして、櫛形保持器５が装着されてころ３の脱落が防止されたころ軸受は、そのままの状態でアッセンブリに組込まれて櫛形保持器５は軸受保持器として使用してもよく、あるいは、アッセンブリに組込んだのち櫛形保持器５を引き抜いて除去し、単にころ脱落防止具として使用してもよい。
【００１９】
図７、図８は本発明に係る保持器付きころ軸受の櫛形保持器の他の例を示す説明図である。
図７は櫛形保持器５の櫛刃７のころ３側を断面ほぼ半円状に形成したもので、これによりころ３と円滑に接触されることができる。また、図８に示すように、櫛刃７のころ側を断面ほぼ台形状に形成して加工を容易にし、ころ３と円滑に接触できる構造としてもよい。
また、図９は櫛形保持器５を単にころ脱落防止具として使用する場合に、その基部６につまみ８を突設したものである。このように構成したことにより、ころ軸受をアッセンブリに組込んだのち櫛形保持器５を引き抜く場合に、このつまみ８を持って引っ張ればよいので、櫛形保持器５を容易に引き抜くことができる。
【００２０】
上記の説明では、櫛形保持器５を弾性を有する帯状の金属板をプレス加工して形成した場合を示したが、弾性を有する合成樹脂材を成形加工して形成してもよい。
【００２１】
本発明によれば、弾性を有する帯状の金属板をプレス加工により成形し、又は弾性を有する合成樹脂材を成形加工して櫛形保持器５を形成して、この櫛形保持器５をころ軸受のころ３の内接円径の長さより若干長く切断してころ軸受に装着することにより、ころの本数の減少を抑え、かつころ３の脱落を防止することができる。また、構造が簡単で製造及びころ軸受けへの装着が容易であり、その上各種サイズのころ軸受に使用することができるので、コストを低減することができる。
【図面の簡単な説明】
【００２２】
【図１】本発明の一実施の形態に係る一部を省略したころ軸受の断面図である。
【図２】図１のＡ−Ａ断面図である。
【図３】図１の外観斜視図である。
【図４】図３の正面図である。
【図５】図１の櫛形保持器の説明図である。
【図６】ころと櫛形保持器の関係を示す説明図である。
【図７】櫛形保持器の他の例ところとの関係を示す説明図である。
【図８】櫛形保持器の他の例ところとの関係を示す説明図である。
【図９】櫛形保持器の他の例の説明図である。
【符号の説明】
【００２３】
１  外輪、２ａ，２ｂ  鍔部、３  ころ、５  櫛形保持器、６  基部、７  櫛刃、８  つまみ。
【図１】
2007218303.tif 000003
【図２】
2007218303.tif 000004
【図３】
2007218303.tif 000005
【図４】
2007218303.tif 000006
【図５】
2007218303.tif 000007
【図６】
2007218303.tif 000008
【図７】
2007218303.tif 000009
【図８】
2007218303.tif 000010
【図９】
2007218303.tif 000011